(57)【要約】【課題】本発明は、投射型表示装置から出力される赤外線同期信号が、周囲の機器に対する赤外線リモコン操作に与える影響を除去した投射型表示装置の提供を目的とする。【解決手段】本発明に係る投射型表示装置１は、立体視画像用眼鏡７に対して赤外線同期信号１０ｅを出力する投射型表示装置１であって、赤外線同期信号１０ｅを出力する赤外線同期信号出力部５と、リモコン６から出力される信号を受信するリモコン信号受信部２と、リモコン信号受信部２で受信したリモコン６からの予め定められた信号に応じて、赤外線同期信号出力部５から出力される赤外線同期信号１０ｅを、他の機能とは独立して、一時的に出力停止したり出力再開したりする停止再開手段とを備える。【選択図】図１
2014042131.tif 000002
【特許請求の範囲】
【請求項１】
立体視画像用眼鏡に対して赤外線同期信号を出力する投射型表示装置であって、
前記赤外線同期信号を出力する赤外線同期信号出力部と、
リモコンから出力される信号を受信するリモコン信号受信部と、
前記リモコン信号受信部で受信した前記リモコンからの予め定められた信号に応じて、前記赤外線同期信号出力部から出力される前記赤外線同期信号を、他の機能とは独立して、一時的に出力停止したり出力再開したりする停止再開手段と、
を備える、
投射型表示装置。
【請求項２】
前記リモコンは、前記予め定められた信号を出力するための専用のボタンを備えることを特徴とする、
請求項１に記載の投射型表示装置。
【請求項３】
前記リモコンは、複数のボタンを備え、
前記予め定められた信号は、２つ以上の前記ボタンを同時に操作することにより出力されることを特徴とする、
請求項１に記載の投射型表示装置。
【請求項４】
前記リモコンが出力する前記予め定められた信号は、赤外線、可視光、電波信号のいずれかであることを特徴とする、
請求項１〜３のいずれかに記載の投射型表示装置。
【請求項５】
前記停止再開手段は、
前記予め定められた信号に応答して赤外線同期信号出力指示信号を与えるＣＰＵと、
前記ＣＰＵの前記赤外線同期信号出力指示信号に応答して前記赤外線同期信号出力部の駆動を制御する前記赤外線同期信号出力部駆動回路と、
を備える、
請求項１〜４のいずれかに記載の投射型表示装置。
【請求項６】
前記ＣＰＵは、前記投射型表示装置本体内部に設けられ、
前記赤外線同期信号出力部および前記赤外線同期信号出力部駆動回路は、前記投射型表示装置本体の内部または外部に設けられることを特徴とする、
請求項１〜５のいずれかに記載の投射型表示装置。
【発明の詳細な説明】
【技術分野】
【０００１】
本発明は投射型表示装置に関し、特に立体視画像用眼鏡に対して赤外線同期信号を出力する投射型表示装置に関する。
【背景技術】
【０００２】
視聴者に立体的な画像表示を提供する表示装置として、立体視画像用眼鏡を用いた表示装置が知られている。いわゆるシャッター方式の立体視画像用眼鏡は、視聴者の左右の眼球のそれぞれに対応したシャッターを映像と同期して高速で開閉させることで、右眼用の映像を視聴者の右眼に、左眼用の映像を視聴者の左眼にそれぞれ導くものである。
【０００３】
従来、シャッター方式の立体視画像用眼鏡を用いる映像表示装置は、シャッター開閉のタイミングを映像に同期させるために、表示装置から立体視画像用眼鏡に対して短い周期で定期的に赤外線同期信号が出力されていた。
【０００４】
また、投射型表示装置において、従来は、立体視画像用眼鏡へ到達可能な範囲を広げるために、赤外線同期信号の強度を比較的強くしていた。そのため、赤外線同期信号が周囲の壁等で反射されて、投射型表示装置の赤外線受信部に入射することにより、リモコンから出力される赤外線信号と干渉して、リモコン操作が適切に反映されない問題があった。
【０００５】
上述の問題を解決するために、特許文献１では、投射型表示装置本体に複数の赤外線受光部を設け、それぞれの受光部が互いに干渉しないように、しきりを設けた構造が記載されている。
【先行技術文献】
【特許文献】
【０００６】
【特許文献１】特開２０１１−７００１５号公報
【発明の概要】
【発明が解決しようとする課題】
【０００７】
しかしながら、表示装置から出力される赤外線同期信号が、投射型表示装置の周囲の機器（例えば、ＤＶＤプレイヤーやブルーレイプレイヤー等）の赤外線受信部に入射し、周囲の機器を赤外線リモコンで操作する際に、誤作動等の影響を与える問題があった。
【０００８】
本発明は以上のような課題を解決するためになされたものであり、投射型表示装置から出力される赤外線同期信号が、周囲の機器に対する赤外線リモコン操作に与える影響を必要に応じて除去できる投射型表示装置の提供を目的とする。
【課題を解決するための手段】
【０００９】
本発明に係る投射型表示装置は、立体視画像用眼鏡に対して赤外線同期信号を出力する投射型表示装置であって、赤外線同期信号を出力する赤外線同期信号出力部と、リモコンから出力される信号を受信するリモコン信号受信部と、リモコン信号受信部で受信したリモコンからの予め定められた信号に応じて、赤外線同期信号出力部から出力される赤外線同期信号を、他の機能とは独立して、一時的に出力停止したり出力再開したりする停止再開手段とを備える。
【発明の効果】
【００１０】
本発明に係る投射型表示装置によれば、視聴者は、リモコンにより周囲の機器の操作を行う間は、赤外線同期信号の出力を停止することで、赤外線同期信号の影響を受けずに周囲の機器の操作を行うことが可能である。また、周囲の機器の操作が完了した後で、赤外線同期信号の出力を再開することで、立体視画像用眼鏡と、投射型表示装置によって投射される映像を同期することが可能である。
【図面の簡単な説明】
【００１１】
【図１】実施の形態１に係る投射型表示装置の構成を示す図である。
【図２】実施の形態１に係る投射型表示装置の赤外線同期信号出力部駆動回路および赤外線同期信号出力部の構成を示す図である。
【図３】前提技術に係る投射型表示装置と周囲の機器の関係を示す図である。
【発明を実施するための形態】
【００１２】
＜前提技術＞
図３を用いて前提技術を説明する。投射型表示装置１は、スクリーン（図示せず）に映像を投射して、シャッター方式の立体視画像用眼鏡７を装着した視聴者に立体映像を提供する。
【００１３】
投射型表示装置１からは、立体視画像用眼鏡７のシャッター開閉のタイミングを映像に同期させるために、立体視画像用眼鏡７に対して赤外線同期信号１０ｅが出力される。
【００１４】
通常、視聴者は投射型表示装置１から離れた場所に位置するため、視聴者が装着する立体視画像用眼鏡７に赤外線同期信号１０ｅを確実に伝達するために、赤外線同期信号１０ｅは比較的強い強度で出力されていた。
【００１５】
このため、投射型表示装置１の周囲の機器８（例えば、ＤＶＤプレイヤーやブルーレイプレイヤー等）の赤外線受信部に、赤外線同期信号１０ｅが入力されてしまうことがあった。よって、周囲の機器８を周囲の機器のリモコン９で操作する際に、周囲の機器８の赤外線受信部に、周囲の機器のリモコン９からの赤外線信号に加えて、赤外線同期信号１０ｅが入射してしまい、周囲の機器８の操作を適切に行うことができない問題があった。
【００１６】
＜実施の形態＞
＜構成＞
図１に、本実施の形態における投射型表示装置１の構成を示す。視聴者は立体視画像用眼鏡７を装着して、投射型表示装置１によってスクリーン（図示せず）に投射される映像を視聴する。投射型表示装置１はリモコン６によって遠隔操作することが可能である。
【００１７】
投射型表示装置１は、リモコン６から出力される信号を受信するリモコン信号受信部２と、赤外線同期信号１０ｅを出力する赤外線同期信号出力部５を備える。また、投射型表示装置１は、リモコン信号受信部２で受信したリモコン６から出力される予め定められた信号に応じて、赤外線同期信号出力部５から出力される赤外線同期信号１０ｅを、一時的に出力停止したり出力再開したりする停止再開手段をさらに備える。
【００１８】
リモコン６には、赤外線同期信号１０ｅの出力停止／再開をするための専用のボタン（図示せず）が備わっている。この専用のボタンが押されることにより、予め定められた信号が出力される。
【００１９】
投射型表示装置１は、赤外線同期信号１０ｅが出力されている状態で、予め定められた信号を受信すると、赤外線同期信号１０ｅの出力を停止する。また、赤外線同期信号１０ｅが出力されていない状態で、予め定められた信号を受信すると、赤外線同期信号１０ｅの出力を再開する。なお、赤外線同期信号の出力停止／再開を行う停止再開手段は、他の機能、例えば電源のオン／オフ機能とは独立している。
【００２０】
停止再開手段は、ＣＰＵ３と赤外線同期信号出力部駆動回路４から構成される。ＣＰＵ３は、信号受信部２から出力される受信信号１０ｂに応じて、赤外線同期信号出力部駆動回路４に対して、赤外線同期信号出力指示信号１０ｃを出力する。
【００２１】
赤外線同期信号出力部駆動回路４は、ＣＰＵ３から出力される赤外線同期信号出力指示信号１０ｃに応じて、赤外線同期信号出力部５を駆動する。
【００２２】
リモコン信号受信部２は、投射型表示装置１筐体に設けられた信号受信のための開口部に接して配置される。リモコン信号受信部２は、この開口部に設けられた、可視光をカットして赤外線のみを透過する赤外線フィルターと、この赤外線フィルターの筐体奥側に設けられた、オートゲインコントロール機能を付加したデジタル出力の赤外線信号受信素子を備える。また、この赤外線信号受信素子は、デジタル出力であるとする。
【００２３】
図２に、赤外線同期信号出力部駆動回路４および赤外線同期信号出力部５の構成を示す。赤外線同期信号出力部駆動回路４は、マイコン４１とトランジスタ４２を備える。マイコン４１の出力端子と、トランジスタ４２の制御端子は、抵抗体を介して接続されている。マイコン４１はＣＰＵ３から入力される赤外線同期信号出力指示信号１０ｃに応じて、トランジスタ４２に制御信号１０ｄを出力する。
【００２４】
また、赤外線同期信号出力部５は、図２に示す様に、赤外線発光ダイオード５１を備える。赤外線発光ダイオード５１は、直流電源およびトランジスタ４２の主端子と接続されている。また、赤外線発光ダイオード５１から出力される赤外線は、可視光をカットして赤外線のみを透過する赤外線フィルター５２を介して、投射型表示装置１本体外部へ出力される。
【００２５】
なお、本実施の形態では、ＣＰＵ３、赤外線同期信号出力部駆動回路４および赤外線同期信号出力部５は、投射型表示装置１の本体内部に設けられる。
【００２６】
＜動作＞
本実施の形態における投射型表示装置１の動作を説明する。まず、リモコン６から出力されるリモコン信号１０ａについて説明する。
【００２７】
リモコン６には、赤外線同期信号１０ｅの出力再開／停止の操作を行うための専用のボタンを含む、複数のボタンが備わっている。
【００２８】
本実施の形態において、リモコン６から出力されるリモコン信号は、赤外線信号である。また、リモコン信号１０ａは、赤外線のオン／オフで信号のＨｉｇｈ／Ｌｏｗを表すデジタル信号である。リモコン６に備わる複数のボタンのそれぞれについて、Ｈｉｇｈ／Ｌｏｗの信号パターンが決められている。
【００２９】
リモコン６に備わるいずれかのボタンが押されると、そのボタンに対応したリモコン信号１０ａが出力される。
【００３０】
リモコン信号受信部２がリモコン信号１０ａを受信すると、リモコン信号受信部２は、受信したリモコン信号のＨｉｇｈ／Ｌｏｗの信号パターンと同じパターンの電気信号を、受信信号１０ｂとしてＣＰＵ３に出力する。
【００３１】
ＣＰＵ３は、入力された受信信号１０ｂの信号パターンに応じて、例えば、映像の再生、停止等の様々な動作の制御を行う。
【００３２】
以下では、赤外線同期信号１０ｅの出力停止／再開動作について説明する。リモコン６に備わる赤外線同期信号１０ｅの出力停止／再開の操作を行うための専用のボタンが押されると、予め定められた信号、即ち予め定められたＨｉｇｈ／Ｌｏｗの赤外線信号パターンが出力される。
【００３３】
リモコン信号受信部２は、予め定められたリモコン信号１０ａを受信すると、リモコン信号１０ａと同じパターンの受信信号１０ｂをＣＰＵ３に対して出力する。
【００３４】
投射型表示装置１が赤外線同期信号１０ｅの出力を停止している状態において、予め定められた信号と同じパターンの電気信号がＣＰＵ３に受信信号１０ｂとして入力された場合、ＣＰＵ３は、マイコン４１に対して、赤外線同期信号出力指示信号１０ｃを出力する。
【００３５】
一方、投射型表示装置１が赤外線同期信号１０ｅを出力している状態において、予め定められた信号と同じパターンの電気信号がＣＰＵ３に受信信号１０ｂとして入力された場合、ＣＰＵ３は、マイコン４１に対して、赤外線同期信号出力指示信号１０ｃの出力を停止する。
【００３６】
マイコン４１は、赤外線同期信号出力指示信号１０ｃが入力されている間にのみ、赤外線同期信号１０ｅと同じＨｉｇｈ／Ｌｏｗの信号パターンの電気信号を、制御信号１０ｄとして、トランジスタ４２に出力する。
【００３７】
制御信号１０ｄは、赤外線同期信号出力部５に備わるトランジスタ４２の制御端子に入力される。制御信号１０ｄがＨｉｇｈのときは、トランジスタ４２がオンとなり、トランジスタ４２の主端子間に電流が流れるため、赤外線発光ダイオード５１に電流が流れ、赤外線が出力される。一方、制御信号１０ｄがＬｏｗのときは、トランジスタ４２はオフとなるので、赤外線発光ダイオード５１からは赤外線は出力されない。
【００３８】
このように、制御信号１０ｄのＨｉｇｈ／Ｌｏｗの信号パターンにあわせて、赤外線発光ダイオード５１に電流を流すことで、赤外線同期信号出力部５から、制御信号１０ｄと同じ信号パターンの赤外線同期信号１０ｅが出力される。
【００３９】
以上で述べたように、視聴者は、リモコン６に備わる専用のボタンによって、赤外線同期信号１０ｅの出力停止／再開を行うことができる。つまり視聴者は、専用のボタンを繰り返し押すことによって、赤外線同期信号１０ｅの出力再開／停止を交互に行うことができる。
【００４０】
視聴者が赤外線リモコン９により周囲の機器８の操作を行う際には、赤外線同期信号１０ｅの出力停止を行うことにより、赤外線同期信号１０ｅが周囲の機器８のリモコン操作に与える影響を除去することができる。また、周囲の機器８のリモコン操作が完了した後に、赤外線同期信号１０ｅの出力を再開させることにより、立体視画像用眼鏡７を再び映像に同期させることが可能である。
【００４１】
なお、本実施の形態では、リモコン６に赤外線同期信号１０ｅの出力再開／停止のための専用ボタンを設けて、専用のボタンを押すことで予め定められた信号を出力したが、リモコン６に備わる複数のボタンを同時に押すことで、所定の信号を出力する構成としてもよい。このような構成とすれば、専用のボタンを新たに設ける必要がないため、リモコン６のボタンの個数を増やすことなく所定の信号の出力が可能となる。
【００４２】
なお、本実施の形態では、赤外線同期信号出力部５において、赤外線を出力する手段として、赤外線発光ダイオード５１を用いたが、例えば、所定の光源から赤外線のみを透過させるなど、他の方法により赤外線の出力を行ってもよい。
【００４３】
なお、本実施の形態では、リモコン６から出力されるリモコン信号１０ａは、赤外線信号であるとしたが、リモコン信号１０ａは、可視光または、電波信号であってもよい。リモコン信号１０ａを可視光とする場合は、リモコン信号受信部２は、赤外線信号受信素子の代わりに、可視光信号を受光する素子を備える。また、リモコン信号１０ａが電波信号である場合は、リモコン信号受信部２は、電波信号を受信可能な構成とする。
【００４４】
なお、本実施の形態では、ＣＰＵ３、赤外線同期信号出力部駆動回路４および赤外線同期信号出力部５は、投射型表示装置１本体内部に設けられる構成としたが、赤外線同期信号出力部駆動回路４および赤外線同期信号出力部５を投射型表示装置１本体外部に設けても良い。このような構成とすることで、立体視画像用眼鏡７に赤外線同期信号１０ｅが届き易い位置から、赤外線同期信号１０ｅを出力することが可能となる。
【００４５】
なお、本実施の形態において、マイコン４１を省略して、トランジスタ４２に対して、ＣＰＵ３が直接、制御信号１０ｄを出力する構成としてもよい。
【００４６】
また、本実施の形態において、リモコン信号受信部２を複数設けてもよい。リモコン信号受信部２を複数設けることにより、より確実にリモコン６から出力されるリモコン信号１０ａを受信することが可能である。
【００４７】
＜効果＞
本実施の形態における投射型表示装置１は、立体視画像用眼鏡７に対して赤外線同期信号１０ｅを出力する投射型表示装置１であって、赤外線同期信号１０ｅを出力する赤外線同期信号出力部５と、リモコン６から出力される信号を受信するリモコン信号受信部２と、リモコン信号受信部２で受信したリモコン６からの予め定められた信号に応じて、赤外線同期信号出力部５から出力される赤外線同期信号１０ｅを、他の機能とは独立して、一時的に出力停止したり出力再開したりする停止再開手段とを備える。
【００４８】
従って、視聴者は、周囲の機器のリモコン９により周囲の機器８の操作を行う間は、リモコン６を操作して赤外線同期信号１０ｅの出力を停止することで、赤外線同期信号１０ｅの影響を受けずに周囲の機器８の操作を行うことが可能である。また、周囲の機器８の操作が完了した後で、赤外線同期信号１０ｅの出力を再開することで、立体視画像用眼鏡７と、投射型表示装置１によって投射される映像を同期することが可能である。つまり、投射型表示装置１から出力される赤外線同期信号１０ｅが、周囲の機器８に対する赤外線リモコン操作に与える影響を必要に応じて除去することが可能である。
【００４９】
また、本実施の形態における投射型表示装置１において、リモコン６は、予め定められた信号を出力するための専用のボタンを備えることを特徴とする。
【００５０】
従って、リモコン６に、予め定められた信号を出力して、赤外線同期信号１０ｅの出力停止／再開を行うための専用のボタンを設けることによって、視聴者は、容易に赤外線同期信号１０ｅの出力停止／再開の操作を行うことが可能である。
【００５１】
また、本実施の形態における投射型表示装置１において、リモコン６は、複数のボタンを備え、予め定められた信号は、２つ以上のボタンを同時に操作することにより出力されることを特徴とする。
【００５２】
従って、このような構成とすれば、リモコン６に専用のボタンを新たに設ける必要がないため、リモコン６のボタンの個数を増やすことなく所定の信号の出力が可能となる。
【００５３】
また、本実施の形態における投射型表示装置１において、リモコン６が出力するリモコン信号１０ａは、赤外線、可視光、電波信号のいずれかであることを特徴とする。
【００５４】
従って、例えば、周囲の機器のリモコン９のリモコン信号１０ｆとして赤外線信号が用いられる場合は、投射型表示装置１のリモコン６のリモコン信号１０ａとして可視光または電波信号を用いれば、周囲の機器８との信号の干渉をより抑えることが可能となる。
【００５５】
また、本実施の形態における投射型表示装置１において、停止再開手段は、予め定められた信号に応答して赤外線同期信号出力指示信号１０ｃを与えるＣＰＵ３と、ＣＰＵ３の赤外線同期信号出力指示信号１０ｃに応答して赤外線同期信号出力部５の駆動を制御する赤外線同期信号出力部駆動回路４とを備える。
【００５６】
従って、投射型表示装置１は、ＣＰＵ３および赤外線同期信号出力部駆動回路４によって、電気的に赤外線同期信号１０ｅの出力停止／再開を行う。よって、赤外線同期信号１０ｅの出力停止／再開をシャッターなどの機構で行う場合と比べて、機械的な可動部を必要としないため、機械的な故障を避けることが可能である。
【００５７】
また、本実施の形態における投射型表示装置１において、ＣＰＵ３は、投射型表示装置１本体内部に設けられ、赤外線同期信号出力部５および赤外線同期信号出力部駆動回路４は、投射型表示装置１本体の内部または外部に設けられることを特徴とする。
【００５８】
よって、赤外線同期信号出力部５および赤外線同期信号出力部駆動回路４を、投射型表示装置１本体の内部に設ければ、投射型表示装置１の小型化が可能である。また、赤外線同期信号出力部５および赤外線同期信号出力部駆動回路４を、投射型表示装置１本体の外部に設ければ、立体視画像用眼鏡７に赤外線同期信号１０ｅが届き易い位置から赤外線同期信号１０ｅを出力することが可能となるため、利便性が向上する。
【００５９】
なお、本発明は、その発明の範囲内において、実施の形態を適宜、変形、省略することが可能である。
【符号の説明】
【００６０】
１  投射型表示装置、２  リモコン信号受信部、３  ＣＰＵ、４  赤外線同期信号出力部駆動回路、５  赤外線同期信号出力部、６  リモコン、７  立体視画像用眼鏡、８  周囲の機器、９  周囲の機器のリモコン、１０ａ，１０ｆ  リモコン信号、１０ｂ  受信信号、１０ｃ  赤外線同期信号出力指示信号、１０ｄ  制御信号、１０ｅ  赤外線同期信号、４１  マイコン、４２  トランジスタ、５１  赤外線発光ダイオード、５２  赤外線フィルター。
【図１】
2014042131.tif 000003
【図２】
2014042131.tif 000004
【図３】
2014042131.tif 000005